(57)【特許請求の範囲】
【請求項１】
可撓性を有する第１の基材と、その第１の基材の片面に設けられた肌色系インクからなる着色塗膜層と、前記第１の基材の他面に設けられた第１の粘着層と、前記着色塗膜層を介して前記第１の基材の片面上に設けられた第２の粘着層と、その第２の粘着層を片面にもつ第２の基材と、この第２の基材の他面に設けられた第３の粘着層とを有する小片状テープを含み、
その小片状テープの長手方向両端が非粘着性の摘み部とされていると共に、前記摘み部の間がセパレータによって前記第１、第３の粘着層を被覆保護された主テープ部とされ、
前記着色塗膜層が少なくとも前記主テープ部の領域において前記第１の基材と前記第２の粘着層との間に介在されていることを特徴とする二重瞼形成用着色テープ材。
【請求項２】
前記セパレータは、前記主テープ部の両端を越えて前記摘み部の表面を覆う位置まで延びていることを特徴とする請求項１記載の二重瞼形成用着色テープ材。
【発明の詳細な説明】
【技術分野】
【０００１】
本発明は、瞼に貼付して二重瞼を形成するのに用いられる二重瞼形成用着色テープ材に関する。
【背景技術】
【０００２】
従来、瞼に貼付して二重瞼を形成することのできる粘着テープ部材が知られている。例えば、その種の粘着テープ部材として、基材（基部）の片面に接着剤を備えた主テープ部の一端に非粘着性の取っ手を設け、主テープ部を瞼に貼付した後、取っ手を主テープ部から切り離せるようにしたテープが公知である（特許文献１）。
【０００３】
又、両面粘着部材の両面粘着剤層をセパレータにより保護したテープ片であって、各セパレータが両面粘着部材よりも長く、その各セパレータの両端が両面粘着部材よりも外側に突出するようにしたものがある（特許文献２）。
【先行技術文献】
【特許文献】
【０００４】
【特許文献１】特開２００５−３３４１０８号公報
【特許文献２】特開２００７−１１１２１８号公報
【発明の概要】
【発明が解決しようとする課題】
【０００５】
しかしながら、特許文献１、２に記載されるテープは、基本的に基材の片面若しくは両面に粘着層を形成しただけの構成であるから、これを瞼に貼付した場合、基材が使用者の肌との色差により目立ち、透明な樹脂フィルムからなる基材でも、これが光を反射して光るので、いずれにしろテープを貼付していることが露呈してしまう。
【０００６】
加えて、特許文献１では瞼に貼付される主テープ部の一端に非粘着性の取っ手が設けられているだけなので、主テープ部を適宜位置に貼付することが極めて困難であり、特許文献２では、セパレータの両端を摘んで両面粘着テープ（両面粘着部材）を瞼に貼付した後、セパレータを剥離する態様とされているから、皮脂などの影響により瞼に対するテープの粘着力が十分に確保されない場合、セパレータを剥離する際にテープが瞼から剥離してしまうという問題がある。
【０００７】
本発明は以上のような事情に鑑みて成されたものであり、その目的は二重瞼を形成するべく瞼に貼付するテープ材に関し、瞼に貼付して目立たず、適宜位置への貼付も容易かつ確実に行えるようにすることにある。
【課題を解決するための手段】
【０００８】
本発明は上記目的を達成するため、
可撓性を有する第１の基材と、その第１の基材の片面に設けられた肌色系インクからなる着色塗膜層と、前記第１の基材の他面に設けられた第１の粘着層と、前記着色塗膜層を介して前記第１の基材の片面上に設けられた第２の粘着層と、その第２の粘着層を片面にもつ第２の基材と、この第２の基材の他面に設けられた第３の粘着層とを有する小片状テープを含み、
その小片状テープの長手方向両端が非粘着性の摘み部とされていると共に、前記摘み部の間がセパレータによって前記第１、第３の粘着層を被覆保護された主テープ部とされ、
前記着色塗膜層が少なくとも前記主テープ部の領域において前記第１の基材と前記第２の粘着層との間に介在されていることを特徴とする二重瞼形成用着色テープ材を提供する。
【０００９】
加えて、前記セパレータは、前記主テープ部の両端を越えて前記摘み部の表面を覆う位置まで延びていることを特徴とする。
【発明の効果】
【００１０】
本発明に係る二重瞼形成用着色テープ材によれば、小片状テープに肌色系インクによる着色塗膜層が設けられていることから、その小片状テープを瞼に貼付して目立たず、他人に対して小片状テープによる二重瞼を自然のものと思わせることができる。
【００１１】
又、小片状テープの長手方向両端が非粘着性の摘み部とされていることから、その摘みを両手で持って主テープ部を瞼の適宜位置に容易かつ確実に貼付することができる。
【００１２】
加えて、セパレータが主テープ部の両端を越えて摘み部の表面を覆う位置まで延びていることから、使用に際してセパレータを容易に引き剥がすことができる。
【図面の簡単な説明】
【００１３】
【図１】本発明に係る二重瞼形成用着色テープ材を示す平面図
【図２】図１のＸ−Ｘ断面概略図
【図３】本発明に係る二重瞼形成用着色テープ材の使用例を示す説明図
【図４】単一の基材を用いた小片状テープの例を示す説明図
【図５】単一の基材を用いた小片状テープの例を示す説明図
【発明を実施するための形態】
【００１４】
以下、図面に基づいて本発明を詳しく説明する。先ず、図１および図２において、１はセパレータであり、このセパレータ１上にはそれよりも面積の小さい積層シート２が設けられている。
【００１５】
積層シート２は、片面が粘着層３１ａとされた片面粘着シート３と、粘着層３１ａの両端部に粘着された非粘着性の端片部材４と、両面が粘着層５１ａ，５１ｂとされた両面粘着シート５と、粘着層５１ａを被覆保護しているセパレータ６とにより構成されている。このうち、片面粘着シート３は、可撓性を有する延伸可能なポリエチレン（低密度ポリエチレン）をはじめとする透明樹脂フィルム、あるいは紙や不織布を基材３１とし、その片面に粘着層３１ａを設けると共に、基材３１の他面に肌色系インクによる着色塗膜層３１ｂを設けた構成とされている。
【００１６】
着色塗膜層３１ｂを形成する肌色系インクは、肌色系の染料や顔料を含む油性インクであって、その「肌色系」とは全人種を対象とした人の肌と同一ないしは近似する色で、例えばＣＩＥＬａｂ表色系において、Ｌ値＝１０〜９０、ａ値＝５〜４０、ｂ値＝５〜４０の範囲に含まれる色であり、具体的には濃褐色、褐色、淡褐色、黄褐色、ベージュ（明るい薄茶色）、稍赤みを帯びた淡黄色がこれに該当する。
【００１７】
一方、両面粘着シート５も可撓性を有する延伸可能なポリエチレン（低密度ポリエチレン）をはじめとする透明樹脂フィルム、あるいは紙や不織布を基材５とし、その両面に粘着層５１ａ，５１ｂを設けた構成とされている。
【００１８】
そして、一方の粘着層５１ｂが着色塗膜層３１ｂに粘着され、片面粘着シート３と両面粘着シート５の上下両側にあらわれる粘着層３１ａ，５１ａがセパレータ１，６によりそれぞれ被覆保護されている。
【００１９】
セパレータ１，６は、ＦＥＰ（フッ化エチレンプロピレン）、ＰＴＦＥ（ポリテトラフルオロエチレン）、ＰＶＦ（ポリビニルフロライド）、ＥＣＴＦＥ（クロロトリフルオロエチレン−エチレン共重合体）などのフッ素系フィルム、あるいは紙やプラスチックフィルムの片面又は両面にシリコーンやフッ素樹脂などを塗布した剥離処理部材であり、これによれば粘着層３１ａ，５１ａを被覆保護して粘着層３１ａ，５１ａの粘着力を損なわず、必要に応じて粘着層３１ａ，５１ａから容易に剥離することができる。
【００２０】
尚、粘着層３１ａ，５１ａは、低アレルギー性の樹脂系粘着剤やゴム系粘着剤からなり、その種の粘着剤を基材３１，５１に塗布して形成されているが、肌色系インクを混合した粘着剤を基材３１，５１に塗付して粘着層３１ａ，５１ａ，５１ｂを着色塗膜層とすることもできる。
【００２１】
ここに、上記のような２つの基材３１，５１を含む積層シート２は、打抜線ＣＬにより分断された複数の小片状テープ７の集合体として構成されている。すなわち、積層シート２に対して図示せぬ型刃を押し込んで打抜線ＣＬを付与することにより、その打抜線ＣＬによって個々に分離可能な同一形状の小片状テープ７が形成されている。
【００２２】
図１および図２において、小片状テープ７は、上記の基材３１（第１の基材）と、基材３１の片面に設けられた着色塗膜層３１ｂと、基材３１の他面に設けられた粘着層３１ａ（第１の粘着層）と、着色塗膜層３１ｂを介して基材３１の片面上に設けられた粘着層５１ｂ（第２の粘着層）と、その粘着層５１ｂを片面にもつ基材５１（第２の基材）と、基材５１の他面に設けられた粘着層５１ａ（第３の粘着層）とを含む細長い帯状の薄片であり、その両端は端片部材４からなる非粘着性の摘み部７１とされ、その摘み部７１，７１の間がセパレータ１，６によって粘着層３１ａ，５１ａを被覆保護された主テープ部７２とされている。
【００２３】
本例において、小片状テープ７の全長は約４０ｍｍ、幅は約１．５ｍｍ、厚さは０．２〜０．３ｍｍで、摘み部７１の長さは約５ｍｍ、主テープ部７２の長さは約３０ｍｍである。
【００２４】
尚、摘み部７１を形成する端片部材４は、剥離処理が施されていない所定の引張強度を有する合成樹脂フィルムなどからなるものであり、当該端片部材４は基材３１，５１などと共に打ち抜かれており、その各一端部が摘み部７１として主テープ部７２の両端から突出され、他の各一端部は粘着層３１ａに対して剥離不能に粘着されている。
【００２５】
又、セパレータ６も各小片状テープ７と共に打ち抜かれているが、その両端部は主テープ部７２の両端から突出して摘み部７１の表面を覆う位置まで延び、これによって粘着層５１ａとの接触が防止されている。このため、セパレータ６はその端部を摘んで粘着層５１ａから容易に剥離することができる。加えて、他方のセパレータ１も主テープ部７２の両端を越えて摘み部７１を覆う位置まで延びていることから、そのセパレータ１上から小片状テープ７を容易に剥離することができる。
【００２６】
次に、上記のような小片状テープ７を備える二重瞼形成用着色テープ材の製造例を説明すると、図１および図２に示される態様では、片面粘着シート３と両面粘着シート５を別々に製作し、その後その両者３，５を貼り合わせている。
【００２７】
片面粘着シート３は、基材３１の片面全体に肌色系インクを塗付して当該基材３１の片面上に肌色系の着色塗膜層３１ｂを形成した後、基材３１の他面全体に粘着剤を塗付して粘着層３１ａを形成する。又、片面粘着シート３には、その粘着層３１ａの両端に端片部材４を粘着させた後、片面粘着シート３より大きな面積を有するセパレータ１により粘着層３１ａを被覆保護する。一方、両面粘着シート５は、基材３１と同種の基材５１の両面全体に粘着剤を塗付して当該基材５１の両面に粘着層５１ａ，５１ｂを形成する。
【００２８】
そして、片面粘着シート３の着色塗膜層３１ｂ上に両面粘着シート５の粘着層５１ｂを粘着させると共に、粘着層５１ａを両面粘着シート５よりも大きな幅をもつセパレータ６で被覆保護することにより、セパレータ１上に積層シート２が設置された積層構造物を得る。
【００２９】
その後、積層シート２に図示せぬ型刃を押し付け、その型刃により最上層のセパレータ６から最下層の端片部材４まで達する打抜線ＣＬを付与することにより、分離可能な複数の小片状テープ７を備えた二重瞼形成用着色テープ材が得られる。
【００３０】
このように、係る二重瞼形成用着色テープ材は製造が容易であり、しかも複数の小片状テープ７が打抜線ＣＬを介して分離可能に連なっていることから歩留まりがよく、使用に際して小片状テープ７を一つずつ容易に取り出すこともできる。
【００３１】
ここで、係る二重瞼形成用着色テープ材の使用方法について説明すれば、使用に際して先ず摘み部７１を摘んで小片状テープ７をセパレータ１から引き剥がすと共に、セパレータ６の一端を摘んで小片状テープ７の粘着層５１ａからセパレータ６を引き剥がす。しかして、図３(ａ)のように両手で摘み部７１を持ち、延伸可能な基材３１，５１を構成要素とする主テープ部７２を引き伸ばしながら、これを瞼に貼り付け、延伸により余剰となった摘み部７１を含む両端部分をハサミなどで切除すれば、図３(ｂ)のように延伸状態の主テープ部７２が瞼上に残る。この状態で目を開ければ、瞼の皮膚が主テープ部７２の上に乗り、これによって図３(ｃ)のように二重瞼が形成されることになる。
【００３２】
以上、本発明の実施形態を説明したが、係る二重瞼形成用着色テープ材は複数の小片状テープ７から構成されることに限らず、単一の小片状テープ７を備える構成でもよい。
【００３３】
又、上記例のように小片状テープ７が２つの基材３１，５１を含む構成であれば、後述の図４、図５に示す単一の基材３１を用いた二重瞼形成用着色テープ材と比較して、主テープ部７２の強度が増し、使用に際して主テープ部７２が不用意に破断してしまうことを防止できるので好ましい。ここで、図４は、小片状テープ７として単一の基材３１を用い、その片面上に着色塗膜層３１ｂを形成すると共に、その着色塗膜層３１ｂと基材３１の他面上に粘着層３１ａ，３１ｃを形成したものである。尚、同図４では、端片部材４を基材３１の両端から突出させずに粘着層３１ａ，３１ｃの各両端部に粘着させ、その端片部材４で覆われた部分を摘み部７１としており、着色塗膜層３１ｂを主テープ部７２の領域にのみ形成している。
【００３４】
また、図５は小片状テープ７として基材３１の片面上に着色塗膜層３１ｂを形成すると共に、基材３１の他面に粘着層３１ａを形成している。
【符号の説明】
【００３５】
１  セパレータ
３１  基材（第１の基材）
３１ａ  粘着層（第１の粘着層）
３１ｂ  着色塗膜層
３１ｃ  粘着層
４  端片部材
５１  基材（第２の基材）
５１ａ  粘着層（第３の粘着層）
５１ｂ  粘着層（第２の粘着層）
６  セパレータ
７  小片状テープ
７１  摘み部
７２  主テープ部
【図１】
0005124667.tif 000002
【図２】
0005124667.tif 000003
【図３】
0005124667.tif 000004
【図４】
0005124667.tif 000005
【図５】
0005124667.tif 000006